(57)【要約】      （修正有）【課題】使用時に分解・組立等の作業を無くし、また部品点数を少なくし使用後の運搬・収納を簡単にしたバッターボックス線引定規を提供する。【解決手段】板材と簡単な金物を組み合わせた、バッターボックス線引定規で、長方形の板（１）と長方形の板（２）の短辺同士を蝶番等で連結、曲げ・伸ばしを自在にし、長方形の板（１）に、連結した短辺と反対側の短辺隅角部に蝶ネジにより、回転及び固定が可能な細長く可動側先端を４５度にカットした台形の板（３）を取付け、その組合せた３枚の板を、伸ばし、折畳み、回転させることにより正確にバッターボックス区画線を描くものである。【選択図】図６
0003140036.tif 000002
【実用新案登録請求の範囲】
【請求項１】
板材と簡単な金物を組み合わせた、野球・ソフトボール等のバッターボックス区画線を描くための線引用定規で、長方形の板（１）と長方形の板（２）の短辺同士を蝶番等で連結、曲げ・伸ばしを自在にし、長方形の板（１）に、連結した短辺と反対側の短辺隅角部に蝶ネジにより、回転及び固定が可能な細長く可動側先端を４５度にカットした台形の板（３）を取付け、その組合せた３枚の板を、伸ばし、折畳み、回転させることにより正確にバッターボックス区画線を描くことのできることを特徴とする、バッターボックス線引定規である。
【請求項２】
前記長方形の寸法は野球・ソフトボール等各種別ごとの規定寸法で、板（１）、（２）の短辺はホームベースとバッターボックスの離れ寸法、前記（１）の板の長辺はバッターボックスの幅、前記（２）の板の長辺はバッターボックスの長さから幅を引いた寸法、前記（３）の板の長辺はバッターボックスの長さの１／２の長さとする、請求項１に記載のバッターボックス線引定規。
【考案の詳細な説明】
【技術分野】
【０００１】  本考案は野球・ソフトボール等のバッターボックスの区画線を描くための定規に関するものである。
【背景技術】
【０００２】  野球・ソフトボールの試合・練習の時、従来、巻尺を使い全ての長さを測り白線引きによりグラウンドに区画線（白線ライン）を描いていた。バッターボックスの区画線も同様に描く必要があり軟式・硬式他各種別により規定寸法が異なり正確に規定通りに区画線を描くのに時間がかかり、面倒であった。また、バッターボックスの区画線は消えることが多く区画線を描き直すのも面倒で、特に試合中などは中断等の問題があった。【０００３】  そこで、今まで色々なバッターボックスの線引定規が提案されている。しかし、いずれの線引定規も形状が大型もしくは部品点数が多く複雑で、運搬・収納が不便であった。
【考案の開示】
【考案が解決しようとする課題】
【０００４】  本考案は、この様な問題の分解・組立等の作業を無くし、また部品点数を少なくし使用後の運搬・収納を簡単にし前述の欠点を解決しようとするものである。
【課題を解決するための手段】
【０００５】  上記課題を解決するために、本考案は板材と簡単な金物を組み合わせた、バッターボックス線引定規で、長方形の板（１）と長方形の板（２）の短辺同士を蝶番等で連結、曲げ・伸ばしを自在にし、長方形の板（１）に、連結した短辺と反対側の短辺隅角部に蝶ネジにより、回転及び固定が可能な細長く可動側先端を４５度にカットした台形の板（３）を取付け、その組合せた３枚の板を、伸ばし、折畳み、回転させることにより正確にバッターボックス区画線を描くものである。【０００６】  前記長方形の寸法は野球・ソフトボール等各種別ごとの規定寸法で、板（１）、（２）の短辺はホームベースとバッターボックスの離れ寸法、前記（１）の板の長辺はバッターボックスの幅、前記（２）の板の長辺はバッターボックスの長さから幅を引いた寸法、前記（３）の板の長辺はバッターボックスの長さの１／２の長さとしたものである。
【考案の効果】
【０００７】  本考案のバッターボックス線引定規は、以下に記載する効果を奏でる。
部品点数が少ないため分解・組立作業の簡素化ができ、かつ定規そのものも軽量化ができるので持ち運びが楽にできる。また、簡単な材料で出来るためコストもかからずに済む。
【考案を実施するための最良の形態】
【０００８】  本考案を実施する形態を代表的な実施例に基づいて添付図面に従って説明する。図１は本考案のバッターボックス線引定規を所定位置に合わせて置いた使用時の状態を示す平面図である。図１に示すように短辺をホームベースとバッターボックスの離れ寸法１０、長辺はバッターボックスの幅１２とした長方形の板（１）に本塁基準マーク２０を設け、短辺は（１）と同じ寸法１０、長辺はバッターボックスの長さからバッターボックスの幅を引いた寸法１１とした長方形の板（２）の短辺同士を蝶番等２１で連結、折りたたみ可能にして前述長方形の板（１）に、連結した短辺と反対側の短辺隅角部２２に蝶ネジにより長辺２３をバッターボックスの長さの半分とした細長く可動側先端２４を４５度にした台形の板（３）を取付けた線引定規で、前述長方形の板（１）（２）の長辺１１・１２と台形の板（３）の長辺２３を直角に合わせかつホームベース辺３３と長方形の板（１）（２）の長辺１１・１２、本塁広角点３５と本塁基準マーク２０を合わせ台形の板（３）の可動側先端２４を塁線３１に合わせて置き、グラウンド上にバッターボックスライン１３と１４の一部・１６の一部の仮線を引く。前記長方形の寸法は野球・ソフトボール等各種別ごとの規定寸法である。【０００９】  図２は本考案のバッターボックス線引定規の長方形の板（１）（２）を折りたたみ図１で引いたバッターボックスライン１４の一部と長方形の板（１）の長辺１２を合わせバッターボックスライン１４と１５の一部の仮線を引く。【００１０】  図３は本考案のバッターボックス線引定規の長方形の板（１）（２）を伸ばし、図２で引いたバッターボックスライン１５の一部と長方形の板（１）（２）の長辺１１・１２を合わせバッターボックスライン１５と１６の一部の仮線を引く。【００１１】  図４は本考案のバッターボックス線引定規の長方形の板（１）（２）を折りたたみ図３で引いたバッターボックスライン１６の一部と長方形の板（１）の長辺１２を合わせバッターボックスライン１６の仮線を引いた後、仮線上にラインカーで白線を描くことにより規格どおりのバッターボックスラインを簡単かつ正確に描くことができる。【００１２】  図５は左側のバッターボックスも線引定規をひっくり返して使用することで描くことができる。このようにして、左右のバッターボックスラインを正確に描くことによりキャッチャーボックスラインも長方形の板（１）（２）を伸ばし基準マークを設けることにより正確に描くことことが可能である。【００１３】  図６はバッターボックス線引定規を単体でわかりやすくするために所定位置に置いたときの斜視図である。図で示すように長方形の板（１）（２）を折りたたみ、台形の板（３）を長方形の板（１）に平行にすることで簡単に収納・運搬ができる。
【図面の簡単な説明】
【００１４】
【図１】線引定規の使用はじめ（手順１）の状態を示す平面図である。
【図２】線引定規の使用手順２の状態を示す平面図である。
【図３】線引定規の使用手順３の状態を示す平面図である。
【図４】線引定規の使用手順４の状態を示す平面図である。
【図５】線引定規を使用しキャッチャーボックスを描く状態を示す平面図である。
【図６】線引定規本体の斜視図である。
【符号の説明】
【００１５】  （１）  線引定規（長方形の板）
（２）  線引定規（長方形の板）
（３）  線引定規（台形の板）
１０  長方形の板幅
１１  長方形の板（２）の長辺
１２  長方形の板（１）の長辺
１３  バッターボックスライン（本塁側長辺）
１４  バッターボックスライン（投手側短辺）
１５  バッターボックスライン（外側長辺）
１６  バッターボックスライン（補手側短辺）
２０  本塁基準マーク
２１  蝶番接続部分
２２  蝶ネジ接続部分
２３  台形の板の長辺
２４  台形の板の可動側端部
３１、３２  塁線
３３、３４  本塁バッターボックス平行辺
３５  本塁広角点
【図１】
0003140036.tif 000003
【図２】
0003140036.tif 000004
【図３】
0003140036.tif 000005
【図４】
0003140036.tif 000006
【図５】
0003140036.tif 000007
【図６】
0003140036.tif 000008